(57)【特許請求の範囲】
【請求項１】
リボンに対して自由な回転を可能にする回転支持具をスティック本体の先端部に備えた新体操用スティックにおける前記スティック本体の先端部に設けることによって前記回転支持具による外部への損傷を防止する損傷防止具であって、
前記スティック本体の先端部に設けた状態において、前記回転支持具の先端側の周囲を囲む筒状部を有しており、
前記筒状部は、先方に向って拡径するように形成されていることを特徴とする新体操用スティックの損傷防止具。
【請求項２】
前記筒状部は、前記回転支持具における先端側に突出する回転軸部に形成された貫通孔に取り付けられたリングであって前記リボンとの連結を図るリングが前記回転軸部と共に回転することが可能なように、内径寸法が設定されていることを特徴とする請求項１に記載の新体操用スティックの損傷防止具。
【請求項３】
ゴム弾性を有する素材で一体に形成されていることを特徴とする請求項１又は２に記載の新体操用スティックの損傷防止具。
【請求項４】
前記回転支持具の固定部であって前記回転軸部を回転自在に支持すべく前記スティック本体の先端部に取り付けられた固定部に設けられた係止部に係止する被係止部を有することを特徴とする請求項１〜３の何れか１項に記載の新体操用スティックの損傷防止具。
【請求項５】
リボンに対して回転方向の自由な動きを可能とする回転支持具をスティック本体の先端部に有する新体操用スティックであって、
請求項１〜４の何れか１項に記載の新体操用スティックの損傷防止具を前記スティック本体の先端部に設けたことを特徴とする新体操用スティック。
【請求項６】
前記回転支持具は、前記スティック本体の先端部に固定される固定部と、この固定部の先端から突出し、当該固定部に対して回転自在な回転軸部とを有しており、
前記固定部には、前記回転軸部を回転自在に支持する滑り軸受部が構成されていることを特徴とする請求項５に記載の新体操用スティック。
【発明の詳細な説明】
【技術分野】
【０００１】
本発明は、新体操の競技種目の一つであるリボンにおいて使用する新体操用スティックの損傷防止具及びその損傷防止具を用いた新体操用スティックに関する。
【背景技術】
【０００２】
この種の新体操用スティックとしては、先端に向けて漸次先細状に形成されたスティック本体の先端部にリングを回転自在に支持するための回転支持金具（回転支持具）を備えたものが知られている（例えば特許文献１）。回転支持金具は、スティック本体の先端部に嵌着される固定部と、この固定部の先端から突出して当該固定部に対して回転自在に構成され、かつ当該固定部より細く形成された回転軸部とを有している。上記リングは、回転軸部に、その回転軸部に形成された貫通孔を介して取り付けられるようになっている。また、リングには、スイベルを介してリボンが取り付けられるようになっている。
【先行技術文献】
【特許文献】
【０００３】
【特許文献１】実開昭６０−５８１５４号公報
【発明の概要】
【発明が解決しようとする課題】
【０００４】
ところが、上記新体操用スティックにおいては、回転支持金具がスティック本体の先端部にあって比較的尖った形状のものになることから、その回転支持金具によって例えば人が怪我をしたり、床等が傷付くなど、外部に対して損傷を生じるおそれがあった。
【０００５】
本発明は、上記事情に鑑みてなされたものであり、回転支持具による外部への損傷のおそれのない新体操用スティックの損傷防止具及び新体操用スティックを提供することを課題としている。
【課題を解決するための手段】
【０００６】
上記課題を解決するために、請求項１に記載の損傷防止具は、リボンに対して自由な回転を可能にする回転支持具をスティック本体の先端部に備えた新体操用スティックにおける前記スティック本体の先端部に設けることによって前記回転支持具による外部への損傷を防止する損傷防止具であって、前記スティック本体の先端部に設けた状態において、前記回転支持具の先端側の周囲を囲む筒状部を有することを特徴としている。なお、損傷防止具は、スティック本体の先端部に直接設けるようにしても、当該先端部に回転支持具を介して設けるようにしてもよい。
【０００７】
そして、前記筒状部は、先方に向って拡径するように形成されていることを特徴としている。
【０００８】
請求項２に記載の損傷防止具は、請求項１に記載の発明において、前記筒状部は、前記回転支持具における先端側に突出する回転軸部に形成された貫通孔に取り付けられたリングであって前記リボンとの連結を図るリングが前記回転軸部と共に回転することが可能なように、内径寸法が設定されていることを特徴としている。
【０００９】
請求項３に記載の損傷防止具は、請求項１又は２に記載の発明において、ゴム弾性を有する素材で一体に形成されていることを特徴としている。
【００１０】
請求項４に記載の損傷防止具は、請求項１〜３の何れか１項に記載の発明において、前記回転支持具の固定部であって前記回転軸部を回転自在に支持すべく前記スティック本体の先端部に取り付けられた固定部に設けられた係止部に係止する被係止部を有することを特徴としている。
【００１１】
請求項５に記載の新体操用スティックは、リボンに対して回転方向の自由な動きを可能とする回転支持具をスティック本体の先端部に有する新体操用スティックであって、請求項１〜４の何れか１項に記載の新体操用スティックの損傷防止具を前記スティック本体の先端部に設けたことを特徴としている。なお、損傷防止具は、スティック本体の先端部に直接設けるように構成しても、当該先端部に回転支持具を介して設けるように構成してもよい。
【００１２】
請求項６に記載の新体操用スティックは、請求項５に記載の発明において、前記回転支持具は、前記スティック本体の先端部に固定される固定部と、この固定部の先端から突出し、当該固定部に対して回転自在な回転軸部とを有しており、前記固定部には、前記回転軸部を回転自在に支持する滑り軸受部が構成されていることを特徴としている。
【発明の効果】
【００１３】
請求項１に記載の新体操用スティックの損傷防止具によれば、回転支持具の先端側の周囲を囲むように形成された筒状部を有しているので、回転支持具が人、床、壁等に直接当るのを防止することができる。従って、回転支持具による外部への損傷を防止することができる。
【００１４】
また、回転支持具の先端側の周囲にリボンの自由な回転を可能にする筒状の空間を確保することができるので、リボンの回転が筒状部によって阻害されることがない。
【００１５】
しかも、筒状部が先方に向って拡径するように形成されているので、リボンに対し自由な回転を与えるためのより効率のよい先広がり状の空間を確保することができる。
【００１６】
請求項２に記載の発明によれば、回転支持具における回転軸部の貫通孔に取り付けられたリングがその回転軸部と共に回転することが可能なように、筒状部の内径寸法が設定されているので、リングが筒状部の内面に擦れた状態となることによって、リボンの回転が制限されるのを防止することができる。
【００１７】
請求項３に記載の新体操用スティックの損傷防止具によれば、ゴム弾性を有する素材で一体に形成されいるので、例えば筒状部が人体に当った場合でも、その筒状部によって損傷を受けるのを防止することができる。また、筒状部における軸方向の先端がその軸方向に対してほぼ直角な面をもった外部の対象物に押し当たるような場合には、筒状部自体の剛性が高く維持された状態になるので、その対象物が回転支持具に当るのを防止することができる。一方、筒状部における軸方向の先端がその軸方向に対して斜めになって外部の対象物に当たる場合には、筒状部の周壁部が回転支持具の上に被さるように湾曲変形することになるので、この場合にも外部の対象物が回転支持具に当たるのを防止することができる。従って、回転支持具による外部への損傷を防止することができる。
【００１８】
請求項４に記載の新体操用スティックの損傷防止具によれば、回転支持具の固定部に設けられた係止部に係止する被係止部を有しているので、被係止部を係止部に係止させることにより、スティック本体の先端部における所定の位置に損傷防止具を取り付けることができる。
【００１９】
請求項５に記載の新体操用スティックによれば、請求項１〜４の何れか１項に記載の新体操用スティックの損傷防止具をスティック本体の先端部に設けているので、上述した効果を有する新体操用スティックを提供することができる。
【００２０】
請求項６に記載の新体操用スティックによれば、回転支持具の固定部に回転軸部を回転自在に支持する滑り軸受部が構成されているので、固定部に回転軸部を回転自在に支持する玉軸受部を構成する場合に比して、固定部の小径化及び軽量化を図ることができる。また、固定部に取り付ける損傷防止具についても小型軽量化を図ることができる。
【図面の簡単な説明】
【００２１】
【図１】本発明の一実施例として示した新体操用スティックの要部破断正面図である。
【図２】同新体操用スティックの先端部を示す図であって、（ａ）は断面図であり、（ｂ）は先端部に設ける損傷防止具を示す断面図であり、（ｃ）は先端部に設ける回転支持金具を示す分解断面図である。
【図３】同新体操用スティックの先端部を示す図であって、回転支持金具の回転軸部を図２（ａ）に対して９０度回転させた後の状態を示す断面図である。
【図４】同新体操用スティックにおける損傷防止具の作用効果を示す説明図である。
【図５】同新体操用スティックにおける損傷防止具の他の例を示す図であり、（ａ）は損傷防止具についてゴム弾性を有しない剛性の比較的高い素材を用いて形成した場合の係止部及び被係止部を示す半断面図であり、（ｂ）は筒状部を円筒状に形成したものを示す半断面図であり、（ｃ）は筒状部を複数段の円筒部によって形成したものを示す半断面図であり、（ｄ）は筒状部の先端縁部を円弧状に丸めたものを示す半断面図であり、（ｅ）は筒状部の先端縁部に外側に広がるフランジを設けたもの、及び被係止部として固定部の一端部及び他端部に係止するように構成したものを示す半断面図である。
【発明を実施するための形態】
【００２２】
本考案を実施するための形態を実施例に基づいて詳細に説明する。なお、損傷防止具付きの新体操用スティックの実施例を示すことにより、損傷防止具及びこの損傷防止具を用いた新体操用スティックの双方について説明する。
【実施例】
【００２３】
この実施例で示す新体操用スティック１は、図１に示すように、先端に向けて漸次テーパ状に縮径されたスティック本体２と、このスティック本体２の先端部２ａに設けられた回転支持金具（回転支持具）３と、スティック本体２の先端部２ａに設けることによって、回転支持金具３による外部への損傷を防止する損傷防止具４とを備えている。なお、スティック本体２は、先端部２ａのみを図示している。
【００２４】
回転支持金具３は、リボンＲに対して自由な回転を可能にするためのものであり、スティック本体２の先端部２ａに接着材等により固定される固定部３１と、この固定部３１に対して回転自在に設けられた回転軸部３２とを備えた構成になっている。また、固定部３１は、本体部３３と保持部３４とを備えた構成になっている。
【００２５】
本体部３３は、図２に示すように、円柱状に形成されたものであり、その一端面から軸心に沿うように軸受孔３３ａが形成され、その他端面から軸心に沿うようにスティック本体２の先端部２ａとの連結を図る連結孔３３ｂが形成されている。また、本体部３３の外周面には、周方向に環状に延在する係止部３３ｃが形成されている。係止部３３ｃは、本体部３３の軸方向における軸受孔３３ａと連結孔３３ｂとの間に位置し、断面が矩形の凹状に形成されている。また、軸受孔３３ａは、周囲が軸受円筒部３３ｄによって囲まれている。このように構成された本体部３３は、滑り軸受用の素材として用いられる黄銅（真鍮）によって一体に形成されている。
【００２６】
保持部３４は、図２（ｃ）に示すように、内周面が円筒状に形成され、外周面が第１テーパ外周面３４ａと第２テーパ外周面３４ｂとを有する形状になっている。第１テーパ外周面３４ａ及び第２テーパ外周面３４ｂは、双方ともに一端側から他端側に向けて漸次拡径するように形成されている。第１テーパ外周面３４ａと第２テーパ外周面３４ｂとの境界部は、保持部３４の軸方向に対して直交する境界面３４ｃによって形成されている。また、第１テーパ外周面３４ａの最大径部の径は、軸受孔３３ａの径より大となっており、第２テーパ外周面３４ｂの最大径部の径は、軸受孔３３ａの径より小となっている。
【００２７】
即ち、保持部３４は、第２テーパ外周面３４ｂを軸受孔３３ａに挿入した状態において、境界面３４ｃが軸受円筒部３３ｄの端面に当接するようになっており、これにりより、軸受孔３３ａ内に回転軸部３２の膨出部３２ｂを回転自在に保持する空間が確保されるようになっている。また、保持部３４の基端面には、テーパ面３４ｄが形成されている。このテーパ面３４ｄは、保持部３４の内周面に向って漸次深くなるように形成されている。
【００２８】
そして、保持部３４は、境界面３４ｃが軸受円筒部３３ｄの端面に当接した状態において、軸受円筒部３３ｄを第２テーパ外周面３４ｂに密着するように絞り加工することにより、軸受孔３３ａの部分に固定されるようになっている。なお、保持部３４はステンレス鋼によって一体に形成されている。
【００２９】
このように保持部３４と軸受孔３３ａの部分とによって、固定部３１の一端部には、回転軸部３２を回転自在に支持する滑り軸受部が構成されている。
【００３０】
回転軸部３２は、保持部３４の内周面に回転自在に嵌合する径の主軸部３２ａと、この主軸部３２ａの他端部に形成された膨出部３２ｂとによって同軸状に一体に形成されている。膨出部３２ｂは、その一端面が保持部３４のテーパ面３４ｄに合致する角度のテーパ面３２ｃとなっており、他端面が軸方向に直交する平面によって形成されている。
【００３１】
また、膨出部３２ｂの外径は、軸受孔３３ａの径より小さく形成されている。更に、膨出部３２ｂの軸方向の長さは、軸受孔３３ａに固定された状態の保持部３４のテーパ面３４ｄに膨出部３２ｂのテーパ面３２ｃを接触させた状態において、当該膨出部３２ｂの他端面と、軸受孔３３ａの底面３３ｅとの間にわずかに隙間があくような寸法に設定されている。
【００３２】
主軸部３２ａには、その一端部に軸方向に直交する貫通孔３２ｄが形成されている。回転軸部３２の貫通孔３２ｄは、図２（ａ）に示すように、円環状に形成されたスプリットリング（リング）ＳＲの取り付けが可能な径に形成されている。このように構成された回転軸部３２は、滑り軸受用の素材として用いる黄銅（真鍮）によって一体に形成されている。
【００３３】
なお、回転軸部３２の膨出部３２ｂを軸受孔３３ａに挿入した状態で保持部３４をその軸受孔３３ａの部分に固定する際に、軸受孔３３ａ内等に回転軸部３２との潤滑を図るグリス等の潤滑材を封入しておくことが好ましい。
【００３４】
スプリットリングＳＲは、ステンレス鋼の線材をほぼ二重に重なる円環状に巻いたものであり、回転軸部３２の貫通孔３２ｄとの着脱が可能になっている。このスプリットリングＳＲには、図１に示すように、スイベルＳを介してリボンＲが取り付けられることになる。
【００３５】
損傷防止具４は、図２（ａ）及び（ｂ）に示すように、回転支持金具３の固定部３１に連結された状態となる基礎部４１と、この基礎部４１の一端側に位置し回転支持金具３の先端側の周囲を囲むように形成された筒状部４２とを有しており、全体がゴム弾性を有する素材で一体に形成されている。
【００３６】
基礎部４１は、内径が固定部３１の外径よりやや小さな円筒状に形成されており、その内周面が固定部３１の外周面に密着するようになっている。
【００３７】
また、基礎部４１には、その内周面における軸方向の所定の位置に、固定部３１の係止部３３ｃに嵌る形状の被係止部４１ａが形成されている。被係止部４１ａは、周方向に環状に延在するように形成されている。更に、基礎部４１には、その他端部の内周面に内方に突出するリブ（被係止部）４１ｂが形成されている。このリブ４１ｂも、周方向に環状に延在している。
【００３８】
そして、被係止部４１ａを係止部３３ｃに係止させることにより、リブ４１ｂが固定部３１の他端部（即ち、本体部３３の他端部）に係止した状態になると共に、筒状部４２が回転支持金具３の先端側の周囲を囲むようになっている。なお、リブ４１ｂは、固定部３１の他端部（この例では斜めに面取された部分）を係止部とし、この係止部に係止する被係止部として機能することにより、被係止部４１ａと共に、損傷防止具４を固定部３１に保持する役目を果たすことになる。
【００３９】
筒状部４２は、基礎部４１の一端部から先方に向って漸次拡径するテーパ状に形成されている。また、筒状部４２は、図３に示すように、被係止部４１ａが係止部３３ｃに係止された状態において、回転軸部３２の貫通孔３２ｄに取り付けたスプリットリングＳＲが当該回転軸部３２と共に回転することが可能なように、内径寸法が設定されている。即ち、筒状部４２の内径は、回転軸部３２の貫通孔３２ｄに取り付けた状態のスプリットリングＳＲの外径より大きく形成されている。
【００４０】
上記のように構成された新体操用スティック１においては、回転支持金具３の先端側の周囲を囲むように形成された筒状部４２を有する損傷防止具４をスティック本体２の先端部２ａに設けているので、回転支持金具３が人、床、壁等に直接当るのを防止することができる。従って、回転支持金具３によって人等の外部の対象物に損傷を与えるのを防止することができる。
【００４１】
また、損傷防止具４の筒状部４２によって、回転支持金具３の先端側の周囲にスプリットリングＳＲ等を介してリボンＲに自由な回転を与えるために効率のよい先広がりのテーパ状の空間を確保することができるので、リボンＲの回転が筒状部４２によって妨げられるのを防止することができる。
【００４２】
更に、回転軸部３２の貫通孔３２ｄに取り付けたスプリットリングＳＲがその回転軸部３２と共に回転することが可能なように、筒状部４２の内径寸法が設定されているので、スプリットリングＳＲが筒状部４２の内面に擦れた状態となることによって、リボンＲの回転が制限されるのを極力防止することができる。
【００４３】
また更に、損傷防止具４がゴム弾性を有する素材で一体に形成されいるので、当該損傷防止具４が外部の対象物に当たることによってその対象物に損傷が生じるのを確実に防止することができる。また、筒状部４２の正面がそのまま真っ直ぐに外部の対象物に押し当たるような場合には、筒状部４２自体の剛性が高く維持されることから、その外部物体が回転支持金具３に当るのを防止することができる。一方、筒状部４２の正面が少しでも斜めになって外部の対象物に当たる場合には、図４に示すように、筒状部４２の周壁部が回転支持金具３の上に被さるように湾曲変形することになるので、この場合にも外部の対象物が回転支持金具３に当たるのを防止することができる。即ち、外部に対する損傷を防止することができる。
【００４４】
また、損傷防止具４は、被係止部４１ａを係止部３３ｃに係止させるだけで簡単に、スティック本体２の先端部２ａにおける所定の位置に取り付けることができると共に、その所定の位置に確実に保持することができる。また、ゴム弾性を利用して、損傷防止具４における被係止部４１ａの部分を拡径するような変形を与えることにより、当該損傷防止具４を固定部３１から簡単に取り外すこともできる。
【００４５】
更に、回転支持金具３の固定部３１に設けた滑り軸受部によって回転軸部３２を回転自在に支持しているので、回転軸部３２を玉軸受部を用いて回転自在に支持する場合に比べて、固定部３１の小径化及び軽量化を図ることができる。しかも、固定部３１に取り付ける損傷防止具４もより小さなものにすることができるという利点がある。
【００４６】
なお、上記実施例においては、損傷防止具４をゴム弾性を有する素材で形成した例を示したが、この損傷防止具４としてはゴム弾性を有しないプラスチック等の比較的剛性の大きな素材を用いて形成したものであってもよい。但し、その場合には、図５（ａ）に示すように、係止部３３ｃを浅い凹状のものとすると共に、他端側に向けて漸次深くなるような形成し、被係止部４１ａについても係止部３３ｃに合致する形状の突出量の小さな凸状のもので形成することが好ましい。また、リブ４１ｂについても突出量の小さなもので形成することが好ましい。このように構成することにより、損傷防止具４の小さな弾性変形によって、被係止部４１ａを係止部３３ｃに係止させることができると共に、前方からの力に対して、損傷防止具４が固定部３１に対して後方に移動するの確実に阻止することができる。
【００４７】
また、筒状部４２としてテーパ状に形成したものを示したが、この筒状部４２は、図５（ｂ）に示すように、１段の円筒状に拡径したものであってもよい。更に、筒状部４２としては、図５（ｃ）に示すように、順次拡径した複数（この例では２つ）の円筒部を段状につなげることにより、先方に向って拡径するように形成したものであってもよい。
【００４８】
一方、筒状部４２の先端縁部は、図５（ｄ）に示すように、断面視において半円弧状に形成したものや、図５（ｅ）に示すように、外側に広がるフランジを有するように形成したものであってもよい。筒状部４２の先端縁部を円弧状に丸めたものや、フランジを設けたもにあっては、損傷防止具４をプラスチック等の比較的剛性の大きな硬い素材で形成した場合でも、その先端縁部に当たることによって外部の対象物に損傷等が生じるのを防止することができる。
【００４９】
更に、係止部３３ｃは、図５（ｅ）に示すように、固定部３１の一端部及び他端部で代用することも可能である。即ち、固定部３１におけるテーパ状に傾斜した面によって形成された一端部及び他端部を係止部とし、これらの係止部に係止する被係止部４１ａを損傷防止具４に一体的に設けるようにしてもよい。このように構成した場合においても、損傷防止具４を回転支持金具３の所定の位置に保持することができる。なお、一端面及び他端面が軸方向に直交する面によって形成されていた場合も、その一端面及び他端面を係止部として代用することができることはいうまでもない。また、このように固定部３１の一端部及び他端部を係止部とした場合には、一般に普及している新体操用スティックに対しても、損傷防止具４を取り付けることが可能になる。
【００５０】
また、回転支持具として、金属製の本体部３３、保持部３４及び回転軸部３２を備えた回転支持金具３の例を示したが、この回転支持具としては、例えばプラスチック製の本体部、保持部及び回転軸部を備えたものなど、金属以外の素材によって構成したものであってもよい。
【符号の説明】
【００５１】
１  新体操用スティック
２  スティック本体
２ａ  先端部
３  回転支持金具（回転支持具）
４  損傷防止具
３１  固定部
３２  回転軸部
３２ｄ  貫通孔
３３ｃ  係止部
４１ａ  被係止部
４２  筒状部
Ｒ  リボン
ＳＲ  スプリットリング（リング）
【図１】
0005554986.tif 000002
【図２】
0005554986.tif 000003
【図３】
0005554986.tif 000004
【図４】
0005554986.tif 000005
【図５】
0005554986.tif 000006